(57)【要約】  本発明は、ガスを有する酸素から酸素を分離するための酸素分離ソルベント１６，１８を有する少なくとも１つの酸素分離器１２，１４を有する、酸素分離装置１０に関し、前記酸素分離器１２，１４は、酸素分離器１２，１４の中にガスを有する酸素のフローをガイドするための入口管２０に接続される一次側においてガスインレット２４，２８を有するとともに、酸素分離器１２，１４の外へ酸素富化ガスのフローをガイドするための出口管３０，３２に接続される二次側においてガスアウトレット３４，３６を有し、酸素分離器１２，１４の二次側は、酸素分離器１２，１４を通じてパージ用ガスをガイドするためのパージ用ガス源に接続され、酸素分離器１２，１４の一次側は、酸素分離装置１０の外へ排出ガスをガイドするための排出管７０，７２に接続され、酸素分離装置１０は、酸素分離器１２，１４の一次側と二次側との間に圧力差を作るための圧力調整装置４０を有し、排出ガスの少なくとも１つの成分の濃度を決定するためのガスセンサ８２が、排出管７０，７２，７３において供給される。上記の酸素分離装置１０は、改善された制御動作を供給する。さらに、本発明は、ガスを有する酸素から酸素を生成する方法に関する。
2016509957.tif 000002
【特許請求の範囲】
【請求項１】
酸素富化ガスのフローを生成するための酸素分離装置であって、
前記酸素分離装置の外へ排出ガスをガイドするための排出管に接続され、ガスを有する酸素から酸素を分離するための少なくとも１つの酸素分離器と、
前記排出管に設けられる、前記排出ガスの少なくとも１つの成分の濃度を決定するためのガスセンサと、
前記ガスセンサによって決定されるデータに基づいて、前記酸素分離装置を制御するための制御装置と、
を有する、酸素分離装置。
【請求項２】
前記ガスセンサは、酸素センサ又は窒素センサである、請求項１記載の酸素分離装置。
【請求項３】
少なくとも１つのメータが、入口管又は出口管に設けられる、請求項１又は２に記載の酸素分離装置。
【請求項４】
前記酸素分離器は、携帯用機器として形成される、請求項１乃至３のいずれか１項に記載の酸素分離装置。
【請求項５】
前記ガスセンサは、光センサを有する、請求項１乃至４のいずれか１項に記載の酸素分離装置。
【請求項６】
前記制御装置は、前記酸素分離装置を手動制御するための入力ユニットを有する、請求項１乃至５のいずれか１項に記載の酸素分離装置。
【請求項７】
制御ユニットが前記ガスセンサの少なくとも１つに接続されて設けられ、前記少なくとも１つのメータが、前記少なくとも１つのガスセンサによって供給されるデータに基づいて、前記酸素分離装置を制御するように設計される、請求項１乃至６のいずれか１項に記載の酸素分離装置。
【請求項８】
ガスを有する酸素から酸素を分離する方法であって、前記方法は、
酸素分離器の一次側にガスを有する酸素をガイドし、前記酸素分離器の一次側と二次側との間に圧力差を作ることによって、前記酸素分離器を通じて酸素のフローを生成する酸素分離ステップを実行するステップと、
前記酸素分離ステップの前又は後に、前記二次側から前記一次側へ前記酸素分離器を通じて排出ガスをガイドするとともに、前記排出管を通じてパージ用ガスをガイドすることによって、前記酸素分離器をパージするステップと、
前記排出管における少なくとも１つの成分の濃度を決定するステップと、
前記排出管における少なくとも１つの成分の前記決定された濃度に基づいて、前記酸素分離装置を制御するステップと、
を有する、方法。
【請求項９】
酸素濃度又は窒素濃度が、前記排出管において決定される、請求項８記載の方法。
【請求項１０】
前記排出管におけるガス濃度は、パージ段階に亘って、測定及び平均化される、請求項８又は９に記載の方法。
【請求項１１】
前記酸素分離器が、前記酸素分離装置を制御するための周期的定常状態にあるかどうかが決定される、請求項８乃至１０のいずれか１項に記載の方法。
【発明の詳細な説明】
【技術分野】
【０００１】
本発明は、酸素分離の分野に関する。より具体的には、本発明は、治療アプリケーションのための、特に、ホームケアの分野における、圧力スイング吸着法を用いた酸素分離に関する。
【背景技術】
【０００２】
酸素療法は、治療学的モダリティとしての酸素投与である。細胞代謝に必須であり、ひいては、組織酸素化が、全ての生理学的機能にとって必須であるため、当該酸素療法は、慢性及び急性の患者ケアの両方における様々な目的のために広く用いられている。特に、患者が、低酸素症及び／又は低酸素血症を患っている場合、酸素療法は、肺への酸素供給を増加させることによって、患者の利益となるように用いられ、これにより、体組織への酸素の利用可能性を増加させる。酸素療法は、病院内のアプリケーション又はホームケアの両方において用いられてもよい。酸素療法の主なホームケアアプリケーションは、深刻な慢性閉塞性肺疾患（ＣＯＰＤ：chronic obstructive pulmonary disease）を患っている患者のためのものである。
【０００３】
酸素は、多くの態様で投与されてもよい。酸素投与の好ましい態様は、いわゆるオンデマンド酸素生成を用いることによるものである。これに関し、いわゆる酸素濃縮器又は酸素分離装置が、広く知られている。これらの酸素濃縮器は、ガスを有する酸素から酸素をほぼ分離し、結果、酸素がオンデマンドで、即ち、使用直前で供給される。
【０００４】
米国特許第７３２９３０４号明細書から、携帯用酸素濃縮器、より詳細には、酸素を濃縮するための携帯用圧力スイング吸着システム、及び、かかる装置を使用するための方法が知られている。上記装置は、複数の篩床（sieve bed）又はタンク、コンプレッサ、複数の経路を規定する下流又は空気の連結管、貯蔵タンク又は容器、空気分流板内の経路を通じて１又は複数のフロー経路を作るための空気制御バルブのセット、及び、上流又は酸素配送連結管を含む。さらに、酸素センサが、容器の下流に供給される。酸素センサは、コントローラに結合されてもよく、コントローラによって処理され、装置の動作を制御又は変更するために用いられる、純度に比例する電子信号を生成してもよい。
【発明の概要】
【発明が解決しようとする課題】
【０００５】
しかしながら、酸素分離器の動作状態を改善する余地がなお存在する。
【課題を解決するための手段】
【０００６】
本発明の目的は、コスト節約が可能で、実行が容易で、及び／又は、酸素純度を制御するのに好適な、酸素分離装置、及び、ガスを有する酸素から酸素を分離する方法を提供することである。
【０００７】
この目的は、請求項１に記載の酸素分離装置によって達成される。また、この目的は、請求項７に記載のガスを有する酸素から酸素を分離する方法によって達成される。好ましい実施形態が、従属請求項において規定されている。
【０００８】
酸素富化ガスのフローを生成するための酸素分離装置は、ガスを有する酸素から酸素を分離するための少なくとも１つの酸素分離器を有し、前記酸素分離器は、酸素分離装置の外へ排出ガスをガイドするための排出管に接続され、排出ガスの少なくとも１つの成分の濃度を決定するためのガスセンサが排出管において供給され、ガスセンサによって決定されたデータに基づいて、酸素分離装置を制御するための制御装置が供給される。
【０００９】
ここで用いられる酸素分離装置なる用語は、特に、ガスを有する酸素から酸素を分離可能な装置に関する。結果として、酸素分離装置により、ガスを有する酸素から開始し、純粋又は実質的に純粋な酸素、あるいは、少なくとも酸素富化ガスが生成され得る。
【００１０】
酸素分離器なる用語は、特に、酸素分離装置のアクティブな部分に関する。酸素分離器は、例えば、ガスを有する酸素又はガス中の所定の成分と相互作用することができる酸素分離ソルベントを有していてもよく、ガスを有する酸素の少なくとも１つの成分との相互作用により酸素から当該成分を分離することにより、ガスを有する酸素から酸素を分離することができる。結果として、上記酸素分離器、又は、酸素分離ソルベントは、各々、特に、吸着プロセスなどの収着プロセスにより、ガスを有する酸素から酸素を分離することができる。従って、酸素分離器は、吸着ベッドとして設計され得る。
【００１１】
さらに、ここで用いられる、酸素分離器の一次側という用語は、ガスを有する酸素が酸素分離器にガイドされる方向に向けられた酸素分離器の側又は部分に関する一方、ここで用いられる、酸素分離器の二次側という用語は、その反対側、即ち、生成された純粋な酸素又は酸素富化ガスが存在し、所望のアプリケーションにガイドされる側に向けられた酸素分離器の側又は部分に関する。
【００１２】
さらに、ここで用いられる、ガスを有する酸素という用語は、気体酸素を少なくとも部分的に有する、又は、酸素からなる、任意のガスに関する。酸素富化ガスという用語は、ガスを有する酸素と比して、酸素に関してより高い濃度を有するガスを特に意味すべきであり、極端に言えば、純粋な酸素であってもよい。
【００１３】
圧力調整装置という用語は、酸素分離器の一次側と二次側との間で圧力差を生成可能な任意の装置に関する。圧力調整装置は、例えば、酸素分離器の一次側に接続されるガス圧縮装置、又は、酸素分離器の二次側に接続される真空ポンプであってもよい。
【００１４】
酸素分離ソルベントは、ガスを有する酸素から酸素以外の少なくとも１つの物質を酸素よりも多く収着する、吸着させる、又は、吸着する、ひいては、酸素を少なくとも大量に通過させる材料として理解され得る。
【００１５】
本発明に従ったパージ用ガスという用語は、吸着された物質を脱着し、再生目的の、酸素分離器、又は、酸素分離ソルベントをパージするために使用可能なガスに関する。例えば、パージ用ガスは、酸素分離器によって生成された酸素富化ガスであってもよい。
【００１６】
排出ガスなる用語は、パージ状態にある場合の酸素分離器から排出されるガスフローに関する。排出ガスは、従って、特に、ガスをパージするために「使用」される。
【００１７】
例示的な実施形態において、酸素分離装置は、例えば、ガスを有する酸素から酸素を分離するための酸素分離ソルベントを有する少なくとも１つの酸素分離器を有していてもよい。酸素分離器は、ガスを有する酸素のフローを酸素分離器の中にガイドするための入口管に接続される一次側において、ガスインレットを備えていてもよく、また、酸素富化ガスのフローを酸素分離器の外へガイドするための出口管に接続される二次側において、ガスアウトレットを備えていてもよい。酸素分離器の二次側は、酸素分離器を通じてパージ用ガスをガイドするためのパージ用ガス源に接続されてもよく、酸素分離器の一次側は、排出ガスを酸素分離器の外へガイドするための排出管に接続されてもよい。これとは別に、酸素分離器は、酸素分離器の中にガスを有する酸素のフローを生成するとともに、酸素分離器の外へ酸素富化ガスのフローを生成するためのガス輸送装置を有していてもよい。例えば、ガス輸送装置は、例えば、酸素分離器の一次側と二次側との間に圧力差を作るための圧力調整装置であってもよい。
【００１８】
上述のような酸素分離装置は、改善された酸素分離純度を提供するとともに、動作状態の変更に対する調整に関して、より効率的且つ迅速な制御を提供する。
【００１９】
これを達成するために、上述のような酸素分離装置は、少なくとも１つの酸素分離器を有する。従って、酸素分離装置は、たった１つの酸素分離器、又は、２つ以上の複数の酸素分離器を有していてもよい。例えば、酸素分離器は、２つの酸素分離器を有していてもよく、従って、一般的な圧力スイング吸着システム（ＰＳＡシステム）を形成してもよい。しかしながら、酸素分離装置は、真空スイング吸着システム（ＶＳＡ：vacuum swing adsorption）、又は、真空圧力スイング吸着システム（ＶＰＳＡ：vacuum pressure swing adsorption）を形成してもよい。
【００２０】
分離目的のため、例示的な実施形態では、酸素分離器は、ガスを有する酸素から酸素を分離するための酸素分離ソルベントを有する、又は、酸素分離ソルベントで満たされている。従って、酸素分離器は、篩床を形成してもよい。酸素分離ソルベントは、ガスを有する酸素の少なくとも１つの成分を酸素から離すように吸着することによって、又は、少なくとも酸素よりもよく吸着することによって、ガスを有する酸素から酸素を分離することが可能である。この特徴は、分離ソルベントが、ガスを有する酸素の少なくとも１つの酸素以外の成分と相互作用するか、又は、酸素よりもよく相互作用することによって、酸素を通過させる圧力スイング吸着システムの一般的設定に従っている。例えば、特に、空気などのガスを有する酸素のフローをガイドする場合、酸素分離ソルベントは、酸素を通過させ、純粋又は実質的に純粋な酸素のフロー、あるいは、酸素富化ガスのフローを生成するために、窒素を吸収するが、酸素とより少なく相互作用する、又は、相互作用しないように設計されてもよい。
【００２１】
酸素分離ソルベントの非限定的な例は、ソディウムゼオライト又はリチウムゼオライトなどのゼオライトを含み、例えば、ＣＥＣＡ社から提供されるＳＸＳＤＭという名前で購入可能なソルベント材料を含む。
【００２２】
ガスを有する酸素を酸素分離器にガイドするために、酸素分離器は、特に、酸素分離器の各々は、酸素分離器の中にガスを有する酸素のフローをガイドするための入口管に接続される一次側においてガスインレットを有するとともに、酸素分離器の外へ酸素富化ガスのフローをガイドするための出口管に接続される二次側においてガスアウトレットを有する。
【００２３】
ガスフロー、特に、酸素分離器の中へのガスを有する酸素のフロー及び酸素分離器の外への酸素富化ガスのフローが、酸素分離器の一次側と二次側との間に圧力差を作る圧力調整装置などのガス輸送装置を供給することによって、達成され得る。圧力調整装置は、例えば、酸素分離器の一次側に配置されるコンプレッサであってもよく、及び／又は、酸素分離器の二次側に配置される真空ポンプとして形成されてもよい。
【００２４】
酸素分離器の一次側と二次側との間に圧力差を作るのとは別に、圧力調整装置は、酸素分離器を通じて、ガスを有する酸素の源からガスインレットへガスを有する酸素を輸送するために有用であるとともに、生成された酸素を、出口管を通じてユーザに輸送するために有用である。このステップは、特に、酸素分離器が、酸素を生成し、酸素分離モードにある、又は、供給モードにある場合に実行される。
【００２５】
しかしながら、ある時間の使用後、ソルベント材料は、特に、窒素などの吸着済み材料を脱着するために再生される必要があることが、酸素分離器及び酸素分離ソルベントのために知られている。従って、酸素分離装置又は酸素分離器を、酸素分離器を通じてパージ用ガスを運ぶパージモードで動作させることが知られている。従って、酸素分離器の二次側、例えば、酸素分離器のガスアウトレットは、好ましくは、酸素分離器を通じてパージ用ガスをガイドするためのパージ用ガス源に接続されており、酸素分離器の一次側、例えば、酸素分離器のガスインレットは、好ましくは、酸素分離装置の外へ排出ガスをガイドするための排出管に接続されている。
【００２６】
このため、酸素分離装置は、空気などのガスを有する酸素を、動作のサイクルモードにおいて、基本的に、窒素及び酸素に分離する。上記サイクルの第１の段階において、ガスを有する酸素が、より高い圧力で酸素分離器の中に「インフロー」として供給され、窒素が当該装置の内部に吸着されるなどして保持され、純粋な酸素が出力される「製品」として収集される。上記サイクルの第２の段階において、酸素分離装置が、再生される、即ち、生成された酸素富化ガスの一部などのパージ用ガスが、例えば、より低い圧力で当該装置に戻され、上述のように吸着された窒素が、周囲の大気中への「排出」として解放される。例えば、適切且つ選択的な酸素分離ソルベントで満たされた少なくとも２つの分離装置が用いられ、一方が、より高い圧力で酸素富化ガスを生成する「供給」段階にある場合、他方が、より低い圧力で「パージ」段階にあり、例えば、第１の装置によって生成された酸素フローの一部で再生される。ある時間後、それぞれに配置されたバルブが切り替えられて、両装置の役割が変わる。
【００２７】
酸素分離装置の使用におけるよく知られている要件は、周囲温度、酸素フローの実際の要求、及び／又は、個々の分離装置の状態などのプロセス状況の変化に対するプロセスの適合である。従って、酸素濃縮器は、好ましくは、マイクロコントローラを有する電子ユニットによって制御されてもよい。
【００２８】
本発明者は、驚くべきことに、排出ガスの少なくとも１つのガス成分の濃度を決定するためにガスセンサを排出管において供給することによって、酸素分離装置の制御、ひいては、生成される酸素富化ガスの純度及び質が、著しく高められ得ることを発見した。
【００２９】
詳細には、上述のような酸素分離装置は、全フロー、即ち、「インフロー」、「製品フロー」、及び、「排出フロー」において、サイクルの厳密に限られた数の段階に亘って平均化された、フローレート及び酸素濃度を推定することが可能である。このようにして、総酸素バランスが作られることができる。かかる酸素バランスにより、分離装置に含まれる酸素の総量が、経時的に、減少又は増加しているレートを計算することが容易に可能である。「格納された」酸素の総量の上記変化レートは、分離プロセスを制御するために、即ち、必要なパワー入力を最小化し、「製品」ストリームへの窒素の「ブレイクスルー」を回避し、及び／又は、製品の酸素純度の飽和を回避するために、重要な診断法である。さらに、他の診断方法は、通常、数〜１０のプロセスサイクルオーダの反応時間を有するため、この診断法は、例えば、製品フローのみの酸素含有量に基づく、他のプロセス診断法よりも、極めて早く、プロセスサイクルの限られた数の時間分解能を要求する。これにより、各酸素分離ソルベントが、窒素と相互作用し、酸素を通過させるように設計されていたとしても、例えば、酸素の特定の量が、酸素分離床にいずれにせよ格納され、検出可能であるという事実のために、酸素分離器における酸素ストレージの診断法が可能となる。
【００３０】
例えば、要求された酸素純度を達成又は維持するため、酸素分離装置の排出フローにおけるガスの濃度は、製品フローにおけるガス濃度又は酸素純度の感知に比して、酸素分離装置を制御するためのより敏感且つ早い測定である。上記制御は、例えば、供給段階及びパージ段階のタイムスケールを調整するため、一次側と二次側との間の圧力差を調整するため、及び、他の基準のために、各ガスストリームのフローレートを調整するために適切な制御装置によって実行され得る。
【００３１】
さらに、改善された、より効果的な制御のため、上述のような酸素分離装置は、著しく改善された信頼性を供給することができる。これは、酸素富化ガスの質が潜在的に低下する状況であっても、又は、より少ない製品ストリームにつながる質の変化であっても、迅速且つ効果的な制御によって補償され得るという事実のためである。酸素分離装置は、従って、長期間の使用後であっても、改善された分離を保証する。
【００３２】
これにより、上記の改善された制御は、上記酸素分離装置が、極めて省エネルギーであるように、更なるエネルギー消費なしに実現され得る。
【００３３】
上述のような、酸素分離装置又は酸素濃縮器は、生成された酸素富化ガスの改善された制御を供給し、改善された信頼性を提供する。かかる酸素分離装置は、特に、特別に訓練されたユーザがいないホームケアアプリケーションのために、及び、医療用アプリケーションのために、高い信頼性及び改善された酸素純度が極めて好適であるという事実のために、ホームケアアプリケーションなどの医療用アプリケーションのために使用され得る。
【００３４】
一実施形態によれば、ガスセンサは、酸素センサ又は窒素センサである。酸素センサを供給する場合、測定結果の極めて容易且つ直接的な分析が達成され得る。さらに、当該実施形態は、情報が要求される成分、即ち、酸素に対応するデータの生成を直接的に可能とする。測定の質の低下につながる測定の分析に潜在的に悪影響を及ぼす副作用が、回避され得る。窒素センサの使用に関し、例えば、空気が、ガスを有する酸素として用いられる場合、窒素の濃度が比較的高いという事実のために、これは、好適であろう。
【００３５】
他の実施形態によれば、入口管又は出口管において、少なくとも１つの他の計測器が供給される。例えば、かかる計測器は、ガスセンサ又は風量計などであってもよい。当該実施形態によれば、酸素分離装置の制御が、より効果的且つ正確に実行され得る。詳細には、排出管における計測器を、入口管及び／又は出口管におけるガスセンサとともに結合することによって、生成される酸素富化ガスの質の動向又は相対変化だけでなく、他の正確且つ客観的な値が決定され得る。さらに、１つのガスセンサが故障した場合、又は、正確でないデータを供給する場合であっても、ガスセンサなどの他の計測器を用いることによって、通常の制御が、なお可能であるという事実のために、セキュリティ上の利点がもたらされ得る。
【００３６】
他の実施形態によれば、酸素分離装置は、携帯装置として形成される。これは、例えば、エネルギー源を備えた携帯用バッグなどに当該装置を配置することによって、実現され得る。基本的に、本発明によれば、携帯可能であるということは、完全に独立しており、自給自足の実施形態を意味する。かかる実施形態は、電力源や、ガスを有する酸素の源などへの、酸素分離装置に隣接する他のコンポーネントへの接続が、使用中、必要でない接続がないことを意味する。基本的に、使用中、ひいては、酸素を生成している間、固定素子への接続が要求されない。かかる携帯装置は、当該装置を運ぶための把持部を有していてもよく、当該把持部は、バッグなどの輸送用装置に配置されてもよい。特に、携帯用酸素濃縮器は、酸素分離装置の限られた空間のため、酸素分離材料の限られた量のため、動作状態の影響に対して敏感である。例えば、携帯用酸素濃縮器に関して、動作温度などを変える酸素分離材料の不純物などの影響は、例えば、低下された酸素選択性に直ぐに繋がり得る。結果、本発明に従った酸素分離装置は、携帯装置、あるいは、小型の酸素分離器及び／又は限られた量の酸素分離材料を有する装置にとって、特に好適である。
【００３７】
他の実施形態によれば、ガスセンサは、光センサを有する。例えば、光酸素センサなどの光センサは、極めて柔軟且つ正確な制御を可能とするほど、酸素などのガスを極めて正確に検出するために使用可能である。さらに、これらのタイプのガスセンサは、とても早い測定を可能にし、極めて動的な制御を可能とする。これによれば、生成されたガスを有する酸素の酸素濃度などの質が、複数の他のセンサよりも改善され得る。他の利点として、光センサは、所望の濃度範囲のために設計されてもよく、特に正確な測定結果を供給できるように、所望のアプリケーションに調整されてもよい。また、これとは別に、光センサは、一般的に、ガス中と同様に液体中においても用いられてもよく、汚染が許容できる限りにおいて極めて安定的な動作をもたらす。結果として、特に、光ガスセンサは、高い正確性、高い信頼性、低い電力消費、低い交差感受性、及び、早い反応時間についての利点を提供可能である。例示的且つ非限定的な例として、光センサは、酸素に対して選択的であってもよく、Pyro Science GmbH社から購入可能な光ファイバ酸素計測器「FireSting O2」などの装置から形成されてもよく、又は、前記装置を有していてもよい。この光センサは、例えば、酸素相互作用による消灯に基づいている。
【００３８】
他の実施形態によれば、制御装置は、酸素分離装置を手動で制御するための入力ユニットを有する。当該実施形態によれば、ガスセンサ及び／又は他の計測器によって決定され、例えば、ディスプレイによりユーザのために供給されるデータが、手動で、酸素分離装置を制御するために用いられてもよい。従って、ユーザは、入力装置を介して、各ガスストリームのフローレートを調整、供給段階及びパージ段階のタイムスケールを調整、一次側と二次側との間の圧力差を調整、及び、他の手段を調整するように制御し得る。
【００３９】
他の実施形態によれば、制御ユニットは、少なくとも１つのガスセンサ及び少なくとも１つの他の計測器に接続されて供給され、少なくとも１つのガスセンサによって供給されるデータに基づき、酸素分離装置を制御するように設計されてもよい。制御ユニットは、ただ１つの制御装置であってもよいし、又は、上述の入力ユニットに付加されて存在してもよい。当該実施形態によれば、制御ユニットは、ガスセンサ及び／又は他の計測器のデータ、ひいては、排出管に供給されるガスセンサのデータ、存在する場合は、例えば、製品管、又は、出口管、及び／又は、入口管に供給されるガスセンサなどの他の計測器のデータを備えていてもよい。制御ユニットは、例えば、格納されたプロトコル、又は、制御命令に基づいて、上述のような酸素分離装置の動作を自動的に制御してもよい。このことは、酸素分離装置の自給自足の制御が常に供給されること、とりわけ、酸素富化ガスの可能な最高の質且つ可能な最小のエネルギー消費を可能とする。
【００４０】
酸素分離装置の他の利点及び技術的特徴に関し、酸素を生成する方法の説明、図面、及び、図面の説明が言及されている。
【００４１】
本発明は、ガスを有する酸素から酸素を分離する方法であって、当該方法は、酸素分離器の一次側にガスを有する酸素をガイドし、酸素分離器の一次側と二次側との間に圧力差を作ることによって、酸素分離器を通じて酸素のフローを生成する酸素分離ステップを実行するステップと、酸素分離ステップの前又は後に、二次側から一次側へ酸素分離器を通じて排出ガスをガイドするとともに、排出管を通じてパージ用ガスをガイドすることによって、酸素分離器をパージするステップと、排出管における少なくとも１つの成分の濃度を決定するステップと、排出管における少なくとも１つの成分の決定された濃度に基づいて、酸素分離装置を制御するステップとを有する、方法に関する。
【００４２】
上述のような方法は、酸素分離装置の制御、ひいては、生成される酸素富化ガスの純度及び質、又は、エネルギー消費を著しく向上させることを可能とする。これにより、かかる方法は、製品フローにおいて、ガス濃度、又は、酸素純度を感知することに比して、要求される酸素純度を達成又は維持するための、より敏感且つ早い測定を提供する。
【００４３】
詳細には、上述のような測定を供給することによって、総酸素バランスが、設定され得る。かかる酸素バランスにより、分離装置に含まれる酸素の総量が、経時的に、減少又は増加しているレートを計算することが容易に可能である。「格納」される酸素の総量の上記変化レートは、分離プロセスを制御するために、即ち、必要なパワー入力を最小化し、「製品」ストリームにおける窒素の「ブレイクスルー」を回避し、及び／又は、製品の酸素純度の飽和を回避するために、重要な診断法である。
【００４４】
従って、第１のステップによれば、酸素分離ステップが実行され、ここで、酸素分離ステップは、酸素分離器の一次側にガスを有する酸素をガイドするステップと、コンプレッサ又は真空ポンプなどによって、圧力差を作ることで、酸素分離器を通じて酸素のフローを生成するステップとを有する。当該ステップは、このため、一般的に知られている、ガスを有する酸素が酸素分離器の中にガイドされ、他の成分が酸素から離れて酸素分離ソルベントに吸着され、酸素分離器の外へガイドされてユーザに供給される酸素分離装置を用いる酸素分離ステップに対応する。
【００４５】
酸素分離器又は酸素分離ソルベントから吸着された物質を脱着するために、酸素分離器は、酸素分離器を通じてパージ用ガスをガイドすることによって、及び、排出管を通じて排出ガスをガイドすることによって、酸素分離ステップの前又は後でパージされる。この再生ステップは、コンプレッサ又は真空ポンプなどのガス輸送装置によって実行されてもよい、例えば、圧力スイング吸着システムから知られている従来のステップである。
【００４６】
酸素富化ガスの所定のガスクオリティを保証するために、排出管における、少なくとも１つの成分の濃度、及び、特定の少なくとも１つのガスの濃度が決定される。さらに、酸素分離装置は、ガス濃度などの決定された濃度に基づいて、制御される。結果、例えば、意図されたモードにおける酸素分離装置の動作、又は、温度などの影響によって劣化されるプロセスを決定するために、各ガス濃度が、酸素バランスを決定すべく、用いられる。結果として、酸素分離装置は、生成される酸素富化ガスの改善された質を可能とする改善された態様で制御され、これにより、上記制御のための時間を著しく低減させる。
【００４７】
一実施形態によれば、酸素濃度又は窒素濃度が、排出管において、決定される。酸素濃度の測定に関し、測定結果の極めて容易且つ直接的な分析が、達成され得る。さらに、この実施形態は、情報が要求される成分、即ち、酸素に対応するデータの生成を直接的に可能とする。結果の質の低下につながる測定結果の分析に潜在的に悪影響を及ぼす副作用が、回避され得る。
【００４８】
他の実施形態によれば、排出管における少なくとも１つの成分のガス濃度は、パージ段階に亘って、測定及び平均化される。このことは、制御が、ただ１つのパージ段階の測定結果に基づいているという事実のために、酸素分離装置の極めて動的な制御を可能とする。結果として、酸素富化ガスの質を劣化させる副作用が、著しい質の劣化が供給される前に、極めて効果的な制御を可能にするように、直接的に決定され得る。このことは、さらに、特に、例えば、酸素分離装置が、ホームケアの分野において、医療用アプリケーションのために用いられる場合、セキュリティ上の著しい利点をもたらす。当該実施形態は、これにより、主に、排出管におけるガス濃度の決定のため、可能となる。
【００４９】
他の実施形態によれば、酸素分離器が、酸素分離装置を制御するための周期的な定常状態にあるかどうかが決定される。このことは、標準的な状態を有する酸素分離装置を制御するために極めて効果的な測定であり、常に、エラーの発生がない。上記周期的な定常状態は、酸素分離ソルベントに格納される酸素の量の変化が一定である状況として理解され得る。これは、酸素分離装置の所望の動作であり、ｄｕＯ２／ｄｔ＝０として記述される。実際は、酸素分離器は、まず、酸素分離器に格納される酸素量が上昇する段階を有し、その後、周期的な定常状態に達してもよい。さらに、格納される酸素量が減少する段階が続いてもよい。酸素分離器の状態に依存して、制御は、好適であってもよい。酸素分離器の現在の状態の決定は、これにより、制御の多様性をもたらす。
【００５０】
酸素生成方法の他の利点及び技術的特徴に関し、酸素を生成する方法の説明、図面、及び、図面の説明が言及されている。
【図面の簡単な説明】
【００５１】
本発明の上記態様及び他の態様が、以下に説明される実施形態を参照して、明確且つ明らかとなる。
【図１】図１は、本発明に従った酸素分離装置の一実施形態の概略図を示している。
【図２】図２は、本発明に従った酸素分離装置の他の実施形態の一部の簡略図を示している。
【図３】図３は、排出管及び出口管における酸素濃度に対する供給段階の変化の効果を示す概略図を示している。
【発明を実施するための形態】
【００５２】
図１において、酸素を生成するための酸素分離装置１０の例示的な実施形態が概略的に示されている。酸素分離装置１０は、例えば、ＣＯＰＤ治療の分野において、治療アプリケーションに関して、酸素を生成するために用いられてもよい。酸素分離装置１０は、例えば、病院内で使用されるため、固定配置として設計されてもよく、又は、例えば、ホームケアアプリケーションの分野において使用されるため、携帯装置であってもよい。しかしながら、酸素分離装置１０は、飛行機内又は溶接目的などの、純粋又は実質的に純粋な酸素が供給される必要のある任意のアプリケーションのために使用されてもよい。上記の酸素濃縮器、又は、酸素分離装置１０は、フィリップスレスピロニクス（登録商標）社から購入可能なSimplyGo（登録商標）と呼ばれる酸素濃縮器などに基づいていてもよい。
【００５３】
図１に記載の酸素分離装置１０は、ガスを有する酸素から酸素を分離することが可能な少なくとも１つの酸素分離器１２を有する。しかしながら、酸素分離装置１０は、並列に配置された、少なくとも２つの酸素分離器１２，１４を有することが望ましい。以下では、本発明は、２つの酸素分離器１２，１４を参照して説明される。しかしながら、たった１つの酸素分離器１２、又は、２つより多くの酸素分離器１２，１４を用いることによって、全ての特徴が、然るべく供給され得るということが、当該技術分野における当業者にとって明らかである。各酸素分離器１２，１４は、篩床として形成されてもよく、酸素分離ソルベント１６，１８を備えていてもよい。酸素分離ソルベント１６，１８は、特に、酸素フローを著しく妨げることなく酸素を通過させるように構成されているが、ガスを有する酸素において存在している他の成分と相互作用する、又は、当該他の成分を吸着するように構成されている。ガスを有する酸素として空気が用いられる場合、酸素分離ソルベント１６，１８は、窒素を吸着するように構成されることが望ましい。適切な酸素分離ソルベント１６，１８は、リチウムゼオライト材料などのゼオライト材料を有していてもよい。しかしながら、例えば、圧力スイング吸着プロセス又は真空スイング吸着プロセスなどのスイングプロセスのために使用される、当該技術分野において既知の全ての適切な酸素分離ソルベント１６，１８を用いることが可能であってもよい。
【００５４】
入口管２０が、酸素分離器１２の一次側において、酸素分離器１２のガスインレット２４へガスを有する酸素のフローをガイドするために供給されている。これに対応して、入口管２６が、酸素分離器１４の一次側において、酸素分離器１４のガスインレット２８へガスを有する酸素のフローをガイドするために供給されている。さらに、酸素富化ガス又は純粋な酸素を酸素分離器１２，１４の外へガイドするための出口管３０，３２が、各酸素分離器１２，１４のガスアウトレット３４，３６に接続されている。
【００５５】
酸素分離器１２，１４の入口管２４，２６は、酸素分離装置１０のインレット３８に接続されている。インレット３８は、ガス格納装置、又は、酸素分離装置１０を囲んでいる空気などの、ガスを有する酸素の源に接続されている。さらに、酸素分離器１２，１４の一次側と二次側との間に圧力差を作るための圧力調整装置４０が、供給されてもよい。図１によれば、圧力調整装置４０は、ガスを有する酸素を圧縮し、入口管２４，２６の一部である、又は、入口管２４，２６に接続され得る入口管４２，４４を通じて、圧縮したガスを有する酸素を酸素分離器１２，１４へ送るためのコンプレッサとして形成されている。従って、本発明によれば、入口管なる表現は、これらの入口管４２，４４，２４，２６のうちの１つ、幾つか、又は、全てを意味すべきである。ガスを有する酸素の第１の清浄ステップを提供するために、圧力調整装置４０の上流側又は下流側において、入口フィルタ４６が供給されてもよい。詳細には、特に、固体粒子が、ガスを有する酸素から排除され得る。
【００５６】
ガスを有する酸素を、酸素分離器１２，１４を通じて断続的にガイド可能にするために、入口バルブ４８，５０が、入口管４２，４４において供給されてもよい。本発明に従ったバルブは、ガスフローを許可し、ガスフローを抑止し、及び／又は、ガスフローの量を調整することができる任意の装置であってもよい。結果、バルブ５０を閉じるとともに、バルブ４８を開くことによって、ガスを有する酸素は、第１の酸素分離器１２を通じてガイドされる一方、バルブ５０を開くとともに、バルブ４８を閉じることによって、ガスを有する酸素は、第２の酸素分離器１４を通じてガイドされ得る。これに対応して、逆止弁などのバルブ５２が、出口管３０において供給され、逆止弁などのバルブ５４が、出口管３２において供給され得る。ガスを有する酸素を第１の酸素分離器１２を通じてガイドすることによって、バルブ５２が、開く一方、バルブ５４が閉じられる。これに対応して、ガスを有する酸素を第２の酸素分離器１４を通じてガイドすることによって、バルブ５４が、開く一方、バルブ５２が閉じられる。
【００５７】
生成される酸素を格納するために、バルブ５２，５４の下流側において、出口管３０，３２が、酸素アキュムレータ５６、又は、ガスタンクに接続される。酸素アキュムレータ５６は、純粋な酸素のストリームを制御するために、フローコントローラ６０が供給され得る出口管５８に接続されてもよい。従って、本発明によれば、出口管なる表現は、これらの出口管５８，３０，３２のうちの１つ、幾つか、又は、全てを意味していてもよい。さらに、追加フィルタ６２が、生成された酸素がアウトレット６４にガイドされる前に、出口管５８において供給されてもよい。アウトレット６４からは、生成された酸素富化ガスが、患者などの所望のアプリケーションへガイドされ得る。
【００５８】
第１の酸素分離器１２の出口管３０と、第２の酸素分離器１４の出口管３２とは、開口又はフローコントローラなどのフロー調整器６８が供給され得る、バルブ５２，５４の上流側にある交差導管６６によって、接続されてもよい。これは、例えば、酸素分離器１２，１４で生成された酸素の所定の一部を、酸素分離器１２，１４を再生するためのパージの目的で、酸素分離器１４，１２を通じて、又は、その逆において、逆流させるようにガイドすることを可能にする。あるいは、酸素分離器１２，１４の二次側は、例えば、酸素分離器１２，１４を通じてパージ用ガスをガイドするための、高純度の酸素を有するタンクなどのパージ用ガスの他の源に接続されてもよい。これに関し、バルブ７４，７６をそれぞれ有する排出管７０，７２が、酸素分離器１２，１４の一次側において供給される。酸素富化ガスなどのパージ用ガスが、再生目的のために、二次側から一次側に、酸素分離器１２，１４を通じてガイドされる場合、出力フローは、排出管７０，７２を通じて選択的にガイドされてもよい。さらに、排出管７０，７２は、各々のアウトレット、又は、１つの共通の排出管７３に結合されてもよく、１つの共通の排出管７８にガイドされてもよい。
【００５９】
さらに、酸素分離器１２，１４を加熱するための加熱装置８０が供給されてもよい。加熱装置８０は、酸素分離器１２，１４全体に作用してもよいし、又は、再生目的のために、特定の領域のみを加熱してもよい。一般的に、当該技術分野において既知の全ての加熱装置８０が用いられ得る。例えば、加熱コイルが供給されてもよい。
【００６０】
さらに、例えば、光センサである、酸素センサ又は窒素センサなどのガスセンサ８２が、排出ガスの少なくとも１つの成分の濃度を決定するために、排出管７３において供給される。図１に示されるように、ガスセンサ８２が、共通の排出管７３に設けられることが望ましく、あるいは、第１の酸素分離器１２の排出管７０及び／又は第２の酸素分離器１４の排出管７２において、各ガスセンサが、追加的又は代替的に配置されることが望ましい。１又は複数の排出管７０，７２，７３に配置されるガスセンサ８２に加えて、別に、酸素センサ、窒素センサ、又は、フロー計などの計測器８４が、１又は複数の入口管４２，４４に配置されてもよく、酸素センサ、窒素センサ、又は、フロー計などの計測器８６が、１又は複数の出口管３０，３２，５８、又は、製品管にそれぞれ配置されてもよい。ガスセンサ８２及び／又は他の計測器８４，８６の少なくとも１つによって供給されるデータに基づいて酸素分離装置１０を制御するために、自動的に動作する制御ユニット及び／又は酸素分離装置を手動制御するための入力ユニットなどの制御装置が、ガスセンサ８２、及び、他の計測器８４，８６の少なくとも１つに接続されて供給されてもよい。酸素分離装置の制御は、以下の図面を参照して説明される。
【００６１】
図２は、本発明に従った酸素分離装置１０の一部の簡略図を示している。詳細には、図２において、例示的且つ非限定的な態様で、酸素分離ソルベント１６を具備する酸素分離器１２が示されている。酸素分離器１２は、異なる接続点を有する当該実施形態によれば、一次側において、入口管２０及び排出管７０に接続されており、二次側において、出口管３０及び他のパージ用ライン３１に接続されている。排出管７０にガスセンサ８２を供給し、潜在的に、入口管４４に計測器８４を供給し、出口管３０に計測器８６を供給することによって、総酸素バランスが、計算され、酸素分離装置１０、ひいては、供給期間及びパージ期間の長さ、各ガスストリームのフローレート、ガスを有する酸素の純度などの正確な制御を可能にする。
【００６２】
上述のような酸素分離装置１０は、全てのフロー、即ち、「インフロー」、「製品フロー」、及び、「排出フロー」における、１つの半周期、ひいては、１つのパージ段階などのサイクルの厳密に限られた数の段階に亘って平均化された、フローレート及び酸素濃度を推定又は決定可能である。このようにして、総酸素バランスが設定されることができる。上記酸素バランスにより、例えば、酸素分離装置に含まれる酸素の総量が経時的に減少又は増加している一般的傾向及び絶対レートを計算することが容易に可能である。
【００６３】
例示的に、計測器８４，８６はガスセンサであり、このことは、ガスセンサ８４によって決定される、インフローにおける、ひいては、供給段階において酸素分離器１２へ向けられるガスを有する酸素のフローにおける酸素の総量、ガスセンサ８６によって決定される、製品フローの、ひいては、供給段階において酸素分離器１２を離れる酸素富化ガスのフローの総量、並びに、ガスセンサ８２によって決定される、排出フローの、ひいては、パージフローにおいて酸素分離器１２の外へ流れる排出ガスのフローの総量が少なくとも定常状態において一定であると仮定することによって実現され得る。このことは、本発明によれば、各ガスセンサ８２，他の計測器８４，８６によって測定されることができ、ガスセンサは、一般的に、各ガス、又は、ガスストリームのそれぞれの、質的な、且つ、潜在的に質的な測定装置として理解され得る。上記事項は、以下の等式によって明確化され得る。
ΦｉｎｙＯ２ｉｎ＝ΦｐｒｏｙＯ２ｐｒｏ＋ΦｅｘｙＯ２ｅｘ＋ｄｕＯ２／ｄｔ
【００６４】
ここで、Φｉｎは、ガスを有する酸素のフローレートに対応し、ｙＯ２ｉｎは、ガスを有する酸素の酸素濃度に対応し、Φｐｒｏは、酸素富化ガス（製品ガス）のフローレートに対応し、ｙＯ２ｐｒｏは、酸素富化ガス（製品ガス）の酸素濃度に対応し、Φｅｘは、排出ガスのフローレートに対応し、ｙＯ２ｅｘは、排出ガスの酸素濃度に対応し、ｄｕＯ２／ｄｔは、酸素分離器１２又は酸素分離ソルベント１６に格納される酸素の量の変化に対応する。酸素分離装置１０の所望の動作は、周期的な定常状態に達する、即ち、ｄｕＯ２／ｄｔ＝０である状態であってもよい。例えば、半周期又はパージ段階に亘って平均化されるなどして、排出管における酸素濃度が測定される場合、酸素分離器が周期的に定常状態で動作しているかどうか、又は、この所望の状態が失われ、測定が行なわれる必要があるかどうかが、直接的に決定され得る。このことは、周期的な定常状態の排出フローにおける酸素濃度について記述している以下の等式によって、視覚化されることができる。
ｙＯ２ｅｘＣＳＳ＝［ΦｉｎｙＯ２ｉｎ−ΦｐｒｏｙＯ２ｐｒｏ］／Φｉｎ−Φｐｒｏ
【００６５】
結果として、排出管７０における酸素濃度を決定することによって、例えば、篩の状態のためのインジケータとして、等式ΔyO2ex = yO2ex - yO2exCSSを用いて、０．１％の正確さで、酸素分離器の定常状態が直接的に決定され得る。このことは、排出ガスにおける酸素濃度を単独で測定することによって、又は、上述のような他のガスを追加的に調査することによって、質的に実行され得る。
【００６６】
排出における酸素濃度を知ることによって、ユーザに届けられるフローレート及び酸素濃度の推定が、間接的に計算され得る。総酸素バランスを推察することが可能である。酸素バランスを知ることによって、より迅速な診断法を開始することが可能である。これは、酸素分離器１２の「バッファ」ボリュームのために、製品フローにおける純度が極めて遅く変化するという事実のためである。
【００６７】
図３は、酸素分離器１４の状態の相対評価を示している。詳細には、図３では、曲線Ａで示される排出ガスの酸素濃度ｙＯ２ｅｘが、曲線Ｂとしての、酸素富化ガス（製品ガス）の酸素濃度ｙＯ２ｐｒｏとともに、経時的に、示されている。酸素分離装置１０の特徴的なパラメータを変えることによって、排出ガスの酸素濃度ｙＯ２ｅｘを決定することによって、酸素富化ガス（製品ガス）の酸素濃度ｙＯ２ｐｒｏを決定することによってよりもずっと早く、酸素分離器１２の状態の変化が見られることが分かる。詳細には、図３のダイアグラムは、供給段階が、６５０ｓ（点ａ）において、２．５ｓから３．５ｓに変えられるとともに、９５０ｓ（点ｂ）において、３．５ｓから４．０ｓに変えられた場合の、各酸素濃度に対する効果を示している。排出ガスにおける酸素濃度が、上記変換を直接的に示している一方、製品ガス又は酸素富化ガスにおける酸素濃度が、より遅く、著しく鈍感に、酸素分離状態における上記変化を示していることが、明らかに見て取れる。このため、例えば、酸素分離器１２が、周期的な定常状態で動作している場合、又は、酸素分離結果を改善するために、制御がトリガされ得る酸素ストレージの増加量又は減少量を有する場合、極めて迅速に決定することが可能である。この例は、酸素分離器１２の傾向又は性質を決定するために特に有用であり、本発明に従った酸素分離装置及び方法によって可能である極めて迅速な制御を明確に実行する。
【００６８】
本発明が、図面及び上記説明において詳細に図示及び説明されてきたが、かかる図示及び説明は、例示的なものであって、限定的ではないと解釈されるべきであり、即ち、本発明は、開示の実施形態に限定されない。開示の実施形態に対する他の変形が、図面、開示、及び、添付の請求項の研究から、本発明を実施する際、当該技術分野における当業者によって、理解及び実施され得る。請求項中、「有する」なる用語は、他の要素又はステップを除外せず、単数形は、複数あることを除外しない。特定の特徴が相互に異なる従属請求項において言及されているという単なる事実は、これらの特徴の組み合わせが好適に用いられないということを示すものではない。請求項中の任意の参照符号は、本発明の範囲を限定するものとして解釈されるべきではない。
【図１】
2016509957.tif 000003
【図２】
2016509957.tif 000004
【図３】
2016509957.tif 000005
【国際調査報告】
2016509957.tif 000006
2016509957.tif 000007